(57)【特許請求の範囲】
【請求項１】
外部機器から、クロック信号ラインを介して伝送クロックを受信する伝送クロック受信部と、
上記伝送クロック受信部で受信された伝送クロックに同期して、コンテンツデータを、所定数の差動信号ラインを介して上記外部機器に送信するデータ送信部と、
上記外部機器にコンテンツのオーディオフォーマットを通知し、上記外部機器から上記伝送クロックと上記オーディオフォーマットに対応したオーディオクロックとの関係を示すパラメータの通知を受ける通信部と、
上記伝送クロック受信部で受信された伝送クロックと上記通信部に通知されたパラメータに基づいてオーディオデータを処理するためのオーディオクロックを生成するオーディオクロック生成部を備える
送信装置。
【請求項２】
上記外部機器が上記伝送クロックの送信機能を有しているか否かを確認する機能確認部と、
上記外部機器が上記伝送クロックの送信機能を有していることが確認されるとき、上記外部機器に上記伝送クロックの送信を要求する伝送クロック送信要求部とをさらに備える
請求項１に記載の送信装置。
【請求項３】
上記通信部は、上記外部機器から伝送ビデオフォーマットの通知を受け、
上記データ送信部は、上記外部機器から通知された伝送ビデオフォーマットで上記コンテンツデータを上記外部機器に送信する
請求項１に記載の送信装置。
【請求項４】
システムクロックを得るクロック源と、
上記クロック源で得られたシステムクロックを分周して伝送クロックを生成する伝送クロック生成部と、
上記伝送クロック生成部で生成された伝送クロックを上記クロック信号ラインを介して上記外部機器に送信する伝送クロック送信部とをさらに備え、
上記伝送クロック送信部は、上記伝送クロック受信部により上記伝送クロックが上記外部機器から受信されないとき上記伝送クロックを上記外部機器に送信し、
上記データ送信部は、
上記伝送クロック送信部により上記伝送クロックが上記外部機器に送信されるとき、該送信される伝送クロックに同期して上記コンテンツデータを上記外部機器に送信し、
上記伝送クロック受信部により上記伝送クロックが上記外部機器から受信されるとき、該受信される伝送クロックに同期して上記コンテンツデータを上記外部機器に送信する
請求項１に記載の送信装置。
【請求項５】
外部機器から、クロック信号ラインを介して伝送クロックを受信する伝送クロック受信ステップと、
上記伝送クロック受信ステップで受信された伝送クロックに同期して、コンテンツデータを、所定数の差動信号ラインを介して上記外部機器に送信するデータ送信ステップと、
上記外部機器にコンテンツのオーディオフォーマットを通知し、上記外部機器から上記伝送クロックと上記オーディオフォーマットに対応したオーディオクロックとの関係を示すパラメータの通知を受ける通信ステップと、
上記伝送クロック受信ステップで受信された伝送クロックと上記通信ステップ通知されたパラメータに基づいてオーディオデータを処理するためのオーディオクロックを生成するオーディオクロック生成ステップを有する
送信方法。
【請求項６】
外部機器から、所定数の差動信号ラインを介してコンテンツデータを受信するデータ受信部と、
上記コンテンツデータをシステムクロックに基づいて処理するデータ処理部と、
上記外部機器に、クロック信号ラインを介して、上記システムクロックに同期した伝送クロックを送信する伝送クロック送信部と、
上記外部機器からコンテンツのオーディオフォーマットの通知を受け、上記外部機器に上記伝送クロックと上記オーディオフォーマットに対応したオーディオクロックとの関係を示すパラメータを通知する通信部を備える
受信装置。
【請求項７】
上記伝送クロック送信部は、上記外部機器から伝送クロックの送信要求があるとき、該外部機器に伝送クロックを送信する
請求項６に記載の受信装置。
【請求項８】
上記通信部は、上記外部機器に伝送ビデオフォーマットを通知する
請求項６に記載の受信装置。
【請求項９】
上記外部機器から上記クロック信号ラインを介して伝送クロックを受信する伝送クロック受信部と、
上記伝送クロック受信部で受信された伝送クロックに同期したシステムクロックを生成するシステムクロック生成部とをさらに備え、
上記データ処理部は、上記伝送クロック受信部により上記外部機器から伝送クロックが受信されるとき、上記システムクロック生成部で生成されるシステムクロックに基づいて処理を行う
請求項６に記載の受信装置。
【請求項１０】
外部機器から、所定数の差動信号ラインを介してコンテンツデータを受信するデータ受信ステップと、
上記コンテンツデータをシステムクロックに基づいて処理するデータ処理ステップと、
上記外部機器に、クロック信号ラインを介して、上記システムクロックに同期した伝送クロックを送信する伝送クロック送信ステップと、
上記外部機器からコンテンツのオーディオフォーマットの通知を受け、上記伝送クロックと上記オーディオフォーマットに対応したオーディオクロックとの関係を示すパラメータを通知する通信ステップを有する
受信方法。
【請求項１１】
送信装置および受信装置が伝送路を介して接続されてなる送受信システムであって、
上記送信装置は、
上記受信装置から、クロック信号ラインを介して伝送クロックを受信する伝送クロック受信部と、
上記伝送クロック受信部で受信された伝送クロックに同期して、コンテンツデータを、所定数の差動信号ラインを介して上記受信装置に送信するデータ送信部と、
上記受信装置にコンテンツのオーディオフォーマットを通知し、上記受信装置から上記伝送クロックと上記オーディオフォーマットに対応したオーディオクロックとの関係を示すパラメータの通知を受ける通信部と、
上記伝送クロック受信部で受信された伝送クロックと上記通信部に通知されたパラメータに基づいてオーディオデータを処理するためのオーディオクロックを生成するオーディオクロック生成部を備え、
上記受信装置は、
上記送信装置から、所定数の差動信号ラインを介してコンテンツデータを受信するデータ受信部と、
上記データ受信部で受信されたコンテンツデータをシステムクロックに基づいて処理するデータ処理部と、
上記送信装置に、上記クロック信号ラインを介して、上記システムクロックに同期した伝送クロックを送信する伝送クロック送信部と、
上記送信装置からコンテンツのオーディオフォーマットの通知を受け、上記送信装置に上記伝送クロックと上記オーディオフォーマットに対応したオーディオクロックとの関係を示すパラメータを通知する通信部を備える
送受信システム。
【発明の詳細な説明】
【技術分野】
【０００１】
本技術は、送信装置、送信方法、受信装置、受信方法および送受信システムに関し、特に、受信側において高品質なコンテンツ再生を可能とする送信装置等に関する。
【背景技術】
【０００２】
近年、音声信号や映像信号などのデジタル信号を扱うＡＶ（Audio/Visual）機器が普及するにつれて、これらＡＶ機器間においてデジタル信号を伝送するためのインタフェースとして様々な方式のものが提案されている。このようなインタフェースとしては、例えば、ＩＥＥＥ（Institute of Electrical and Electronics Engineers）１３９４規格、ＨＤＭＩ（High-Definition Multimedia Interface）規格（ＨＤＭＩは登録商標）等が広く知られている
【０００３】
通常、ＨＤＭＩ規格では、ソース機器側からＴＭＤＳ（Transition Minimized Differential Signaling）データに同期したＴＭＤＳクロックがシンク（リピータ）機器に送出され、シンク（リピータ）機器では、そのＴＭＤＳクロックにてＴＭＤＳデータの再生を行う。
【０００４】
リピータ機器においては、通常、オーディオの高品質の再生のため、高価な高性能なクロック源が置かれている。しかし、上述のＨＤＭＩ規格の仕様により、ソース機器側の安価なクロック源で生成されたクロックを再生に使う必要があり、リピータ機器内の高性能なクロック源で生成されたクロックを使った再生が不可能である。
【０００５】
また、複数のソース機器からビデオ／オーディオコンテンツのデジタルデータを受信して映像を生成するようなアプリケーションにおいては、それぞれのソース機器からのクロックは同期しておらず、また、その伝送フォーマットはソース機器側で生成されるため、シンク機器側では巨大なバッファやフォーマット変換機能を持つ必要があり、実現は困難である。
【０００６】
図１０は、現行のＨＤＭＩ規格の仕様概要を示している。ＨＤＭＩトランスミッタは、ソース機器に存在し、伝送するビデオ／オーディオコンテンツのデジタルデータおよびその基準クロックを生成し、それぞれ、ＴＭＤＳチャネル（TMDS Channel）＃０，＃１，＃２およびＴＭＤＳクロックチャネル（TMDSClock Channel）を通じて、接続先であるシンク（リピータ）機器中のＨＤＭＩレシーバへ伝送する。伝送されるＴＭＤＳクロックは、ビデオコンテンツのピクセルクロックに相当する。
【０００７】
ソース機器側からシンク（リピータ）機器側に、オーディオ再生のためにＴＭＤＳクロックとオーディオ再生用クロックとの関係、つまりＣＴＳ（サイクルタイムスタンプ）とＮパラメータが、別途ＡＣＲ（オーディオクロックリジェネレーション）パケットとして伝送される。これにより、シンク（リピータ）機器側では、ＴＭＤＳクロックからオーディオクロックの生成が可能になる。
【０００８】
上述のようなＨＤＭＩの仕様の場合、再生用クロックの品質は、ソース機器の中に実装される水晶振動子などのクロック源の性能に依存する。デジタルのビデオ／オーディオコンテンツの再生において、その再生用クロックの品質は非常に大きな影響を与えることがよく知られている。特に、オーディオ再生においては、そのクロックの品質にコンテンツの再生品質が大きく左右される。
【０００９】
そのため、特に、リピータ機器においては、高品質オーディオ再生のために低ジッタの高品質クロック源が実装されていることが多い。しかしながら、ＨＤＭＩ規格に則った接続においては、このリピータ機器に実装された高品質クロック源を用いた高品質再生を行うことができない。
【００１０】
特許文献１では、ＨＤＭＩのＨＥＡＣチャネルの差動伝送にオーディオ再生用のクロックをシンク（リピータ）機器から重畳することにより、同相で重畳されて伝送されるオーディオデータ再生の高品質化を実現する方法が提案されている。同時に、この提案を用いれば、シンク（リピータ）機器からＴＭＤＳチャネルで伝送されるオーディオデータのクロックを伝送することも可能である。
【先行技術文献】
【非特許文献】
【００１１】
【特許文献１】特開２０１０−０８１４３４号公報
【発明の概要】
【発明が解決しようとする課題】
【００１２】
上述の特許文献１の提案の場合、ソース機器にて自身のクロックをベースとして扱うビデオデータとシンク（リピータ）機器から伝送されるクロックをベースとして扱うオーディオデータを非同期に扱って伝送する必要がある。そのため、必ずしも、ＴＭＤＳクロックとＣＴＳ／Ｎパラメータで生成されるオーディオクロックと、実際シンク（リピータ）機器が伝送したクロックとは同一でない場合がある。
【００１３】
また、上述の特許文献１の提案の場合、ＨＤＭＩ接続から他のデジタルインタフェースに変換される際に、そのフォーマット変換にて、その優位性が損なわれる懸念がある。すなわち、ＨＤＭＩをブリッジして他のデジタルインタフェースに変換する際、上述の特許文献１の提案の場合には、ＴＭＤＳチャネルおよびＴＭＤＳクロックチャネルの他に、ＨＥＡＣチャネルをも管理する必要が出てくるからである。
【００１４】
ここで、図１１に示すような現状実現できていないアプリケーションを考える。このアプリケーションは、４台のソース機器１００を１台のシンク機器２００に接続し、その４台のソース機器１００からのコンテンツを１台のシンク機器２００に表示するアプリケーションである。
【００１５】
現行のＨＤＭＩ規格に則った接続でこのアプリケーションを実現するには、各ソース機器からそれぞれ独自のビデオフォーマットおよびクロック、オーディオクロック用パラメータがシンク機器に伝送される。シンク機器では、これらの状況を吸収するために、各ソース機器からのビデオフォーマットを一つに統一するためのフォーマット変換器、伝送スピードの違いを吸収するための巨大なオーディオ／ビデオ用のバッファ等、およびそれらの制御が必要となり、その実現は非常に困難である。
【００１６】
本技術の目的は、高品質なコンテンツ再生を可能とすることにある。
【課題を解決するための手段】
【００１７】
本技術の概念は、
外部機器から、クロック信号ラインを介して伝送クロックを受信する伝送クロック受信部と、
上記伝送クロック受信部で受信された伝送クロックに同期して、コンテンツデータを、所定数の差動信号ラインを介して上記外部機器に送信するデータ送信部とを備える
送信装置にある。
【００１８】
本技術において、伝送クロック受信部により、外部機器から、クロック信号ラインを介して伝送クロックが受信される。そして、データ送信部により、受信された伝送クロックに同期して、コンテンツデータが、所定数の差動信号ラインを介して、外部機器に送信される。例えば、ＴＭＤＳクロックチャネルにより伝送クロック（ＴＭＤＳクロック）が受信され、３本のＴＭＤＳチャネルによりデジタルのオーディオ／ビデオのコンテンツデータが送信される。
【００１９】
このように本技術においては、外部機器からクロック信号ラインを介して伝送クロックが受信され、この伝送クロックに同期して外部機器にコンテンツデータが送信される。そのため、付加的なラインを用いることなく外部機器において高品質なコンテンツ再生が可能となる。
【００２０】
なお、本技術において、例えば、外部機器が伝送クロックの送信機能を有しているか否かを確認する機能確認部と、外部機器が伝送クロックの送信機能を有していることが確認されるとき、外部機器に伝送クロックの送信を要求する伝送クロック送信要求部とをさらに備える、ようにされてもよい。これにより、外部機器からの伝送クロックに基づいた送信処理を適切に行うことができる。
【００２１】
また、本技術において、例えば、外部機器にコンテンツのビデオフォーマットを通知し、外部機器から伝送ビデオフォーマットの通知を受ける通信部をさらに備え、データ送信部は、外部機器から通知された伝送ビデオフォーマットでコンテンツデータを外部機器に送信する、ようにされてもよい。これにより、外部機器におけるフォーマット変換処理等の処理負荷を大幅に軽減でき、例えば、外部機器において複数のソース機器からのコンテンツを同時に表示するようなアプリケーションを容易に実現可能となる。
【００２２】
また、本技術において、例えば、通信部は、外部機器にコンテンツのオーディオフォーマットをさらに通知し、外部機器から、伝送クロックとオーディオクロックとの関係を示すパラメータの通知をさらに受け、伝送クロック受信部で受信された伝送クロックと、このパラメータに基づいてオーディオクロックを生成するオーディオクロック生成部をさらに備える、ようにされてもよい。この場合、外部機器からオーディオフォーマットに対応したＣＴＳ／Ｎパラメータの通知を受けることができ、伝送オーディオデータに対応したオーディオクロックを生成して用いることが可能となる。
【００２３】
また、本技術において、例えば、システムクロックを得るクロック源と、このクロック源で得られたシステムクロックを分周して伝送クロックを生成する伝送クロック生成部と、この伝送クロック生成部で生成された伝送クロックをクロック信号ラインを介して外部機器に送信する伝送クロック送信部とをさらに備え、データ送信部は、伝送クロック送信部により伝送クロックが外部機器に送信されるとき、この送信される伝送クロックに同期してコンテンツデータを外部機器に送信し、伝送クロック受信部により伝送クロックが外部機器から受信されるとき、この受信される伝送クロックに同期してコンテンツデータを外部機器に送信する、ようにされてもよい。これにより、外部機器から伝送クロックを受信できない場合に良好に対処可能となる。
【００２４】
また、本技術の他の概念は、
外部機器から、所定数の差動信号ラインを介してコンテンツデータを受信するデータ受信部と、
上記コンテンツデータをシステムクロックに基づいて処理するデータ処理部と、
上記外部機器に、クロック信号ラインを介して、上記システムクロックに同期した伝送クロックを送信する伝送クロック送信部とを備える
受信装置にある。
【００２５】
本技術において、例えば、データ受信部により、外部機器から、所定数の差動信号ラインを介してコンテンツデータが受信される、また、データ処理部により、このコンテンツデータがシステムクロックに基づいて処理される。そして、伝送クロック送信部により、クロック信号ラインを介して、システムクロックに同期した伝送クロックが送信される。例えば、伝送クロック送信部は、外部機器から伝送クロックの送信要求があるとき、外部機器に伝送クロックを送信する、ようにされる。
【００２６】
このように本技術においては、システムクロックに同期した伝送クロックがクロック信号ラインを介して外部機器に送信される。これにより、外部機器からは、この伝送クロックに同期したコンテンツデータ受信することが可能となる。つまり、付加的なラインを用いることなく、高品質なコンテンツ再生が可能となる。
【００２７】
なお、本技術において、例えば、システムクロックを得るクロック源と、このクロック源で得られたシステムクロックを利用して伝送クロックを生成する伝送クロック生成部とをさらに備える、ようにされてもよい。クロック源が高性能である場合、より高品質なコンテンツ再生が可能となる。
【００２８】
また、本技術において、例えば、他の外部機器から伝送クロックを受信する伝送クロック受信部をさらに備え、伝送クロック送信部は、伝送クロック受信部で受信された伝送クロックを送信する、ようにされてもよい。これにより、外部機器からは、他の外部機器からの伝送クロックに同期したコンテンツデータ受信することが可能となる。
【００２９】
また、本技術において、例えば、外部機器からコンテンツのビデオフォーマットの通知を受け、外部機器に伝送ビデオフォーマットを通知する通知部をさらに備える、ようにされてもよい。これにより、例えば複数の外部機器から受信するコンテンツのビデオフォーマットを統一したものとすることができ、複数のソース機器からのコンテンツを同時に表示するようなアプリケーションを容易に実現可能となる。
【００３０】
また、本技術において、例えば、通知部は、外部機器からコンテンツのオーディオフォーマットの通知をさらに受け、外部機器に該オーディオフォーマットに基づいて算出した、伝送クロックとオーディオクロックとの関係を示すパラメータをさらに通知する、ようにされてもよい。これにより、外部機器において、伝送オーディオデータに対応したオーディオクロックを生成して用いることが可能となる
【００３１】
また、本技術において、例えば、外部機器からクロック信号ラインを介して伝送クロックを受信する伝送クロック受信部と、この伝送クロック受信部で受信された伝送クロックに基づいてシステムクロックを生成するシステムクロック生成部とをさらに備え、データ処理部は、伝送クロック受信部により外部機器から伝送クロックが受信されるとき、システムクロック生成部で生成されるシステムクロックに基づいて処理を行う、ようにされてもよい。これにより、外部機器に伝送クロックを送信できない場合に良好に対処可能となる。
【発明の効果】
【００３２】
本技術によれば、付加的なラインを用いることなくシンク（リピータ）機器側において高品質なコンテンツ再生が可能となる。また、本技術によれば、複数のソース機器からのコンテンツをシンク機器側において同時に画面分割して表示することを容易に実現できる。
【図面の簡単な説明】
【００３３】
【図１】ソース機器とシンク（リピータ）機器がケーブルで接続されてなるＡＶシステムの構成例を示すブロック図である。
【図２】ＡＶシステムを構成するソース機器の詳細な構成例を示すブロック図である。
【図３】ＡＶシステムを構成するシンク（リピータ）機器の詳細な構成例を示すブロック図である。
【図４】ＡＶシステムにおける、ソース機器のデータ送信部と、シンク（リピータ）機器のデータ受信部の構成例を示す図である。
【図５】ＴＭＤＳチャネルで伝送されるＴＭＤＳ伝送データ構造の一例を示す図である。
【図６】ＨＤＭＩシステムにおけるタイプＡのピンアサイメント（タイプＡ）を示す図である。
【図７】ソース機器がシンク（リピータ）機器からＴＭＤＳクロックの供給を受ける場合における各機器の処理手順を概略的に示すシーケンス図である。
【図８】外部クロック源を用いて４台のソース機器からのコンテンツを同時に表示するようなアプリケーションを示す図である。
【図９】３台のソース機器からのコンテンツと放送波コンテンツを同時に表示するようなアプリケーションを示す図である。
【図１０】現行のＨＤＭＩ規格の仕様概要を示す図である。
【図１１】４台のソース機器からのコンテンツを同時に表示するようなアプリケーションを示す図である。
【発明を実施するための形態】
【００３４】
以下、発明を実施するための形態（以下、「実施の形態」とする）について説明する。なお、説明は以下の順序で行う。
１．実施の形態
２．変形例
【００３５】
＜１．実施の形態＞
［ＡＶシステムの構成］
図１は、ＡＶ（Audio and Visual）システム１０の構成例を示している。このＡＶシステム１０は、ソース機器１００とシンク（リピータ）機器２００とが接続されて構成されている。ソース機器１００は、例えば、ゲーム機、ディスクプレーヤ、セットトップボックス、デジタルカメラ、モバイルフォーンなどのＡＶソースである。シンク（リピータ）機器２００は、例えば、テレビ受信機、プロジェクタ等である。
【００３６】
ソース機器１００およびシンク（リピータ）機器２００は、ケーブル（ＨＤＭＩケーブル）３００を介して接続されている。ソース機器１００には、データ送信部１１２が接続されたコネクタ部１１１が設けられている。シンク機器２００には、データ受信部２１２が接続されたコネクタ部２１１が設けられている。ケーブル３００の一端はソース機器１００のコネクタ部１１１に接続され、このケーブル３００の他端はシンク（リピータ）機器２００のコネクタ部２１１に接続されている。
【００３７】
ソース機器１００のデータ送信部１１２およびシンク（リピータ）機器２００のデータ受信部２１２は、ＴＭＤＳクロックの双方への伝送が可能とされる他は、後述するように、ＨＤＭＩ規格の仕様と同様に構成されている。
【００３８】
図２は、ソース機器１００の詳細な構成例を示している。ソース機器１００は、上述したデータ送信部１１２の他に、制御部１１３と、ビデオデコーダ１１４と、ビデオデータバッファ１１５Ｖと、オーディオデータバッファ１１５Ａを有している。また、ソース機器１００は、クロック源１１６と、ＰＬＬ（Phase Locked Loop）回路１１７Ｔ，１１７Ｒと、ドライバ１１８と、レシーバ１１９と、切換スイッチ１２０ａ，１２０ｂ，１２０ｃを有している。
【００３９】
制御部１１３は、ソース機器１００の各部の動作を制御する。ビデオデコーダ１１４は、シンク（リピータ）機器２００側に送信すべきデジタルのコンテンツデータ（ビデオデータ、オーディオデータ）を出力する。ビデオデータバッファ１１５Ｖは、ビデオデコーダ１１４から出力されるビデオデータを一時的に蓄積する。オーディオデータバッファ１１５Ａは、ビデオデコーダ１１４から出力されるオーディオデータを一時的に蓄積する。
【００４０】
シンク（リピータ）機器２００からＴＭＤＳクロックの供給を受けるとき、制御部１１３は、例えば、ＣＥＣラインによるコマンド通信により、シンク（リピータ）機器２００側にコンテンツのビデオフォーマットを通知し、当該シンク（リピータ）機器２００側から伝送ビデオフォーマットの通知を受ける。この場合、制御部１１３は、ビデオデコーダ１１４が、この通知された伝送ビデオフォーマットによるビデオデータを出力するように制御する。ビデオデコーダ１１４が通知フォーマットによるビデオデータの出力が不可能であるとき、制御部１１３は、例えば、ＣＥＣラインによるコマンド通信により、シンク（リピータ）機器２００側に対応不可を報告し、再び伝送ビデオフォーマットの通知を受ける。
【００４１】
データ送信部１１２は、それぞれ、ＨＤＭＩ規格とほぼ同様のデジタルインタフェースを持ち、ケーブル３００を介して、バッファ１１５Ｖ，１１５Ａに蓄積されているビデオデータ、オーディオデータを、シンク機器２００に送信する。この場合、ビデオデータバッファ１１５Ｖからのビデオデータの読み出しはＴＭＤＳクロックに基づいて行われ、オーディオデータバッファ１１５Ａからのオーディオデータの読み出しはオーディオクロックに基づいて行われる。ビデオデータ、オーディオデータの送信は、ＴＭＤＳクロックに同期して行われる。
【００４２】
クロック源１１６は、システムクロックを生成する。ＰＬＬ回路１１７Ｔは、クロック源１１６で得られたシステムクロックを分周し、ビデオフォーマットに対応したＴＭＤＳクロック（ピクセルクロック）、およびオーディオフォーマットに対応したオーディオクロックを生成する。ここで、ピクセルクロックとオーディオクロック（通常はサンプリング周期の１２８倍）の関係はＣＴＳ／Ｎパラメータで表される。
【００４３】
ドライバ１１８は、ＰＬＬ回路１１７Ｔで生成されるＴＭＤＳクロックを、データ送信部１１２を介して、ケーブル３００のクロック信号ライン（ＴＭＤＳクロックチャネル）に送出する。このようにシンク（リピータ）機器２００にＴＭＤＳクロックを供給するとき、ソース機器１００からシンク（リピータ）機器２００に、ＡＣＲパケットでＣＴＳ／Ｎパラメータが送られる。これにより、シンク（リピータ）機器２００では、ＴＭＤＳクロックからオーディオクロックの生成が可能になる。
【００４４】
レシーバ１１９は、ケーブル３００のクロック信号ライン（ＴＭＤＳクロックチャネル）で送られてくるＴＭＤＳクロックを、データ送信部１１２を介して、受け取る。ここで、制御部１１３は、例えばシンク（リピータ）機器２００から読み出すＥ−ＥＤＩＤに基づいて、当該シンク（リピータ）機器２００がＴＭＤＳクロックの送信機能（クロック供給機能）を有しているか否かを確認する。そして、制御部１１３は、シンク（リピータ）機器２００がＴＭＤＳクロックの送信機能を有しているとき、当該シンク（リピータ）機器２００に、例えばＣＥＣラインによるコマンド通信によりＴＭＤＳクロックの送信を要請する。
【００４５】
ＰＬＬ回路１１７Ｒは、レシーバ１１９で受け取ったＴＭＤＳクロックを分周／逓倍する等して、オーディオクロックおよびシステムクロックを生成する。この場合、制御部１１３は、シンク（リピータ）機器２００側から、例えば、ＣＥＣラインによるコマンド通信によりＣＴＳ／Ｎパラメータの通知を受け、これに基づいて、ＰＬＬ回路１１７Ｒを制御する。ＰＬＬ回路１１７Ｒでは、ＴＭＤＳクロックに基づいてオーディオフォーマットに対応したオーディオクロックの生成が可能となる。
【００４６】
切換スイッチ１２０ａは、クロック源１１６から出力されるシステムクロック、またはＰＬＬ回路１１７Ｒで生成されるシステムクロックを選択的に取り出し、ソース機器１００で使用するシステムクロックとする。この場合、シンク（リピータ）機器２００側からＴＭＤＳクロックが送られてくる場合には、ＰＬＬ回路１１７Ｒで生成されるシステムクロックが取り出され、その他の場合には、クロック源１１６から出力されるシステムクロックが取り出される。
【００４７】
また、切換スイッチ１２０ｂは、ＰＬＬ回路１１７Ｔで生成されるオーディオクロック、またはＰＬＬ回路１１７Ｒで生成されるオーディオクロックを選択的に取り出し、ソース機器１００で使用するオーディオクロックとする。この場合、シンク（リピータ）機器２００側からＴＭＤＳクロックが送られてくる場合には、ＰＬＬ回路１１７Ｒで生成されるオーディオクロックが取り出され、その他の場合には、ＰＬＬ回路１１７Ｔで生成されるオーディオクロックが取り出される。
【００４８】
また、切換スイッチ１２０ｃは、ＰＬＬ回路１１７Ｔで生成されるＴＭＤＳクロック、またはレシーバ１１９で受け取られるＴＭＤＳクロックを選択的に取り出し、ソース機器１００で使用するＴＭＤＳクロックとする。この場合、シンク（リピータ）機器２００側からＴＭＤＳクロックが送られてくる場合には、レシーバ１１９で受け取られるＴＭＤＳクロックが取り出され、その他の場合には、ＰＬＬ回路１１７Ｔで生成されるＴＭＤＳクロックが取り出される。
【００４９】
図３は、シンク（リピータ）機器２００の詳細な構成例を示している。シンク（リピータ）機器２００は、上述したデータ受信部２１２の他に、制御部２１３と、ビデオデータバッファ２１４Ｖと、オーディオデータバッファ２１４Ａを有している。また、シンク（リピータ）機器２００は、クロック源２１５と、ＰＬＬ（Phase Locked Loop）回路２１６Ｔ，２１６Ｒと、ドライバ２１７と、レシーバ２１８と、切換スイッチ２１９ａ，２１９ｂ，２１９ｃを有している。
【００５０】
制御部２１３は、シンク（リピータ）機器の各部の動作を制御する。データ受信部２１２は、ソース機器１１０から、ＨＤＭＩケーブル３００を介して、ビデオデータ、オーディオデータを受信する。ビデオデータバッファ２１４Ｖは、データ受信部２１２で受信されるビデオデータを一時的に蓄積する。オーディオデータバッファ２１４Ａは、データ受信部２１２で受信されるオーディオデータを一時的に蓄積する。
【００５１】
ソース機器１００にＴＭＤＳクロックを供給するとき、制御部２１３は、例えば、ＣＥＣラインによるコマンド通信により、ソース機器１００側からコンテンツのビデオフォーマットの通知を受け、それを参照して決定した伝送ビデオフォーマットをソース機器１００側に通知する。そのため、データ受信部２１２で受信されるビデオデータのフォーマットは、このようにソース機器１００側に通知した伝送ビデオフォーマットと同じものとなる。
【００５２】
クロック源２１５は、システムクロックを生成する。ＰＬＬ回路２１６Ｔは、クロック源２１５で得られたシステムクロックを分周し、ビデオフォーマットに対応したＴＭＤＳクロック（ピクセルクロック）、およびオーディオフォーマットに対応したオーディオクロックを生成する。ここで、ピクセルクロックとオーディオクロック（通常はサンプリング周期の１２８倍）の関係はＣＴＳ／Ｎパラメータで表される。
【００５３】
ドライバ２１７は、ＰＬＬ回路２１６Ｔで生成されるＴＭＤＳクロックを、データ受信部２１２を介して、ケーブル３００のクロック信号ライン（ＴＭＤＳクロックチャネル）に送出する。制御部２１３は、例えば、ＣＥＣラインによるコマンド通信により、ソース機器１００側から伝送クロックの供給要請を受けるとき、ドライバ２１７をアクティブとして、ＴＭＤＳクロックを、ソース機器１００側に送信する。
【００５４】
ソース機器１００にＴＭＤＳクロックを供給するとき、制御部１１３は、例えば、ＣＥＣラインによるコマンド通信により、ソース機器１００側からコンテンツのオーディオフォーマットの通知を受ける。そして、制御部１１３は、このオーディオフォーマットに基づいてＣＴＳ／Ｎパラメータを算出し、このＣＴＳ／Ｎパラメータを、例えば、ＣＥＣラインによるコマンド通信により、ソース機器１００側に通知する。これにより、ソース機器１００側では、ＴＭＤＳクロックに基づいてオーディオフォーマットに対応したオーディオクロックの生成が可能となる。
【００５５】
レシーバ２１８は、ケーブル３００のクロック信号ライン（ＴＭＤＳクロックチャネル）で送られてくるＴＭＤＳクロックを、データ受信部２１２を介して、受け取る。ＰＬＬ回路２１６Ｒは、レシーバ２１８で受け取ったＴＭＤＳクロックを分周／逓倍する等して、オーディオクロックおよびシステムクロックを生成する。なお、ソース機器１００からＴＭＤＳクロックを受け取るとき、ソース機器１００から、ＡＣＲパケットでＣＴＳ／Ｎパラメータが送られてくる。これにより、ＰＬＬ回路２１６Ｒでは、ＴＭＤＳクロックからオーディオクロックの生成が可能になる。
【００５６】
切換スイッチ２１９ａは、クロック源２１５から出力されるシステムクロック、またはＰＬＬ回路２１６Ｒで生成されるシステムクロックを選択的に取り出し、シンク（リピータ）機器２００で使用するシステムクロックとする。この場合、ソース機器１００側にＴＭＤＳクロックを送る場合には、クロック源２１５から出力されるシステムクロックが取り出され、その他の場合には、ＰＬＬ回路２１６Ｒで生成されたシステムクロックが取り出される。
【００５７】
また、切換スイッチ２１９ｂは、ＰＬＬ回路２１６Ｔで生成されるオーディオクロック、またはＰＬＬ回路２１６Ｒで生成されるオーディオクロックを選択的に取り出し、シンク（リピータ）機器２００で使用するオーディオクロックとする。この場合、ソース機器１００側にＴＭＤＳクロックを送る場合には、ＰＬＬ回路２１６Ｔで生成されるオーディオクロックが取り出され、その他の場合には、ＰＬＬ回路２１６Ｒで生成されるオーディオクロックが取り出される。
【００５８】
また、切換スイッチ２１９ｃは、ＰＬＬ回路２１６Ｔで生成されるＴＭＤＳクロック、またはレシーバ２１８で受け取られるＴＭＤＳクロックを選択的に取り出し、シンク（リピータ）機器２００で使用するＴＭＤＳクロックとする。この場合、ソース機器１００側にＴＭＤＳクロックを送る場合には、ＰＬＬ回路２１６Ｔで生成されるＴＭＤＳクロックが取り出され、その他の場合には、レシーバ２１８で受け取られるＴＭＤＳクロックが取り出される。
【００５９】
［データ送信部、データ受信部の構成例］
図４は、図１のＡＶシステム１０における伝送システム（ソース機器１００のデータ送信部１１２と、シンク（リピータ）機器２００のデータ受信部２１２）の構成例を示している。データ送信部１１２は、有効画像区間（「アクティブビデオ区間」ともいう）において、非圧縮の１画面分のビデオデータに対応する差動信号を、複数のチャネルで、データ受信部２１２に一方向に送信する。
【００６０】
ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくともビデオデータに付随するオーディオデータや制御データ、その他の補助データ等に対応する差動信号を、複数のチャネルで、データ受信部２１２に一方向に送信する。
【００６１】
データ受信部２１２は、アクティブビデオ区間において、複数のチャネルで、データ送信部１１２から一方向に送信されてくる、ビデオデータに対応する差動信号を受信する。また、このデータ受信部２１２は、水平帰線区間または垂直帰線区間において、複数のチャネルで、データ送信部１１２から一方向に送信されてくる、オーディオデータや制御データに対応する差動信号を受信する。
【００６２】
データ送信部１１２とデータ受信部２１２とからなる伝送システムの伝送チャネルには、以下のものがある。まず、伝送チャネルとして、ＨＤＭＩシステムと同様に、差動信号チャネル（ＴＭＤＳチャネル、ＴＭＤＳクロックチャネル）がある。ビデオデータ等のデジタル信号を伝送するための差動信号チャネルは３チャネルである。
【００６３】
この差動信号チャネルについて説明する。図４に示すように、データ送信部１１２からデータ受信部２１２に対して、ビデオデータおよびオーディオデータを、ＴＭＤＳクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００６４】
データ送信部１１２のＨＤＭＩトランスミッタ８１は、例えば、非圧縮のビデオデータを対応する差動信号に変換し、３つのＴＭＤＳチャネル＃０，＃１，＃２で、ケーブル３００を介して接続されているデータ受信部２１２に、一方向にシリアル伝送する。また、ＨＤＭＩトランスミッタ８１は、非圧縮のビデオデータに付随するオーディオデータ、必要な制御データその他の補助データ等を、対応する差動信号に変換し、３つのＴＭＤＳチャネル＃０，＃１，＃２で、データ受信部２１２に、一方向にシリアル伝送する。
【００６５】
さらに、ＨＤＭＩトランスミッタ８１は、３つのＴＭＤＳチャネル＃０，＃１，＃２で送信するビデオデータに同期したＴＭＤＳクロックを、ＴＭＤＳクロックチャネルで、データ受信部２１２に送信するか、あるいはデータ受信部２１２から受信する。ＨＤＭＩシステムでは、ＴＭＤＳクロックの伝送は一方向に可能とされるが、この実施の形態における伝送システムでは、ＴＭＤＳクロックの伝送は双方向に可能とされる。ここで、１つのＴＭＤＳチャネル＃ｉ（ｉ＝０，１，２）では、ＴＭＤＳクロックの１クロックの間に、１０ビットのビデオデータが送信される。
【００６６】
データ受信部２１２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を、ＴＭＤＳクロックに同期して受信する。このＴＭＤＳクロックは、データ送信部１１２から送信されてくるＴＭＤＳクロック、あるいはデータ送信部１１２に送信するＴＭＤＳクロックである。
【００６７】
この実施の形態における伝送システムの伝送チャネルには、上述のＴＭＤＳチャネル、ＴＭＤＳクロックチャネルの他に、ＨＤＭＩシステムと同様に、ＤＤＣ（Display Data Channel）やＣＥＣラインと呼ばれる伝送チャネルがある。ＤＤＣは、ケーブル３００に含まれる図示しない２本の信号線からなる。ＤＤＣは、データ送信部１１２が、データ受信部２１２から、Ｅ−ＥＤＩＤ（Enhanced Extended Display Identification Data）を読み出すために使用される。
【００６８】
すなわち、データ受信部２１２は、ＨＤＭＩレシーバ８２の他に、自身の能力（Configuration/capability）に関する情報であるＥ−ＥＤＩＤを記憶している、ＥＤＩＤ  ＲＯＭ(ＥＥＰＲＯＭ)を有している。データ送信部１１２は、例えば、制御部１１３からの要求に応じて、ケーブル３００を介して接続されているデータ受信部２１２から、Ｅ−ＥＤＩＤを、ＤＤＣを介して読み出す。
【００６９】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部２１２の能力の設定を認識できる。例えば、制御部１１３は、データ受信部２１２を有するシンク（リピータ）機器２００が、ＴＭＤＳクロックの送信機能（ＴＭＤＳクロックの供給機能）を有しているか否かを、確認できる。
【００７０】
ＣＥＣラインは、ケーブル３００に含まれる図示しない１本の信号線からなり、データ送信部１１２とデータ受信部２１２との間で、制御用のデータの双方向通信を行うために用いられる。また、ケーブル３００には、ＨＰＤ(Hot Plug Detect)と呼ばれるピンに接続されるライン（ＨＰＤライン）が含まれている。ソース機器は、このＨＰＤラインを利用して、シンク機器の接続を検出することができる。
【００７１】
なお、このＨＰＤラインは双方向通信路を構成するＨＥＡＣ−ラインとしても使用される。また、ケーブル３００には、ソース機器からシンク機器に電源を供給するために用いられる電源ライン（＋５Ｖ Power Line）が含まれている。さらに、ケーブル３００には、ユーティリティラインが含まれている。このユーティリティラインは双方向通信路を構成するＨＥＡＣ＋ラインとしても使用される。
【００７２】
図５は、ＴＭＤＳ伝送データの構造例を示している。この図５は、ＴＭＤＳチャネル＃０〜＃２において、横×縦がＢピクセル×Ａラインの画像データが伝送される場合の、各種の伝送データの区間を示している。ＴＭＤＳチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Islandperiod）、およびコントロール区間（Control period）である。
【００７３】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。このアクティブビデオ区間は、ビデオフィールド区間から、水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００７４】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００７５】
ここで、コネクタ部１１１，２１１のピンアサイメントを説明する。このピンアサイメントは、例えば、ＨＤＭＩシステムにおけるタイプＡのピンアサイメント（図６参照）と同様とされる。これにより、ケーブル３００として、ＨＤＭＩケーブルの使用が可能とされる。
【００７６】
ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。なお、ピン番号が８，５，２のピンは、ＴＭＤＳ  Ｄａｔａ＃ｉ  Ｓｈｉｅｌｄ（ｉ＝０〜２）に割り当てられている。
【００７７】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。なお、ピン番号が１１のピンは、ＴＭＤＳ  Ｃｌｏｃｋ  Ｓｈｉｅｌｄに割り当てられている。
【００７８】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００７９】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００８０】
［ＡＶシステムの動作］
図１に示すＡＶシステム１０（ソース機器１００およびシンク（リピータ）機器２００）の動作を説明する。最初に、ソース機器１００からシンク（リピータ）機器２００に、ＴＭＤＳクロックが送信される場合について説明する。この場合は、ＨＤＭＩシステムと同様の動作となる。
【００８１】
ソース機器側の動作を説明する。切換スイッチ１２０ａ，１２０ｂ，１２０ｃは、それぞれ、ｔ側に接続される。そのため、切換スイッチ１２０ａでは、クロック源１１６から出力されるシステムクロックが取り出されて用いられる。また、切換スイッチ１２０ｂでは、ＰＬＬ回路１１７Ｔで生成されるオーディオクロックが取り出されて用いられる。また、切換スイッチ１２０ｃでは、ＰＬＬ回路１１７Ｔで生成されるＴＭＤＳクロックが取り出されて用いられる。
【００８２】
また、ドライバ１１８がアクティブとされる。そのため、ＰＬＬ回路１１７Ｔで生成されるＴＭＤＳクロックは、データ送信部１１２を介して、ケーブル３００のクロック信号ライン（ＴＭＤＳクロックチャネル）に送出され、シンク（リピータ）機器２００に送信される。
【００８３】
また、ビデオデコーダ１１４からは、シンク（リピータ）機器２００側に送信すべきデジタルのコンテンツデータ（ビデオデータ、オーディオデータ）が出力される。ビデオデータは所定のフォーマットを持つものであり、上述したＰＬＬ回路１１７Ｔで生成されるＴＭＤＳクロックは、このビデオデータのピクセルクロックに対応したものとされる。また、オーディオデータは所定のフォーマットを持つものであり、上述したＰＬＬ回路１１７Ｔで生成されるオーディオクロックは、このオーディオデータに対応したものとされる。
【００８４】
ビデオデコーダ１１４から出力されるビデオデータは、ビデオデータバッファ１１５Ｖに供給されて一時的に蓄積される。また、ビデオデコーダ１１４から出力されるオーディオデータは、オーディオデータバッファ１１５Ａに供給されて一時的に蓄積される。そして、バッファ１１５Ｖ，１１５Ａに蓄積されているビデオデータ、オーディオデータは、データ送信部１１２により、ケーブル３００の差動信号ライン（ＴＭＤＳチャネル）に送出され、シンク（リピータ）機器２００に送信される。この場合、ビデオデータのブランキング期間にＡＣＲパケットが挿入され、ＴＭＤＳクロックとオーディオクロックとの関係を示すＣＴＳ／Ｎパラメータが、シンク（リピータ）機器２００に送信される。
【００８５】
シンク（リピータ）機器２００側の動作を説明する。レシーバ２１８がアクティブとされる。そのため、このレシーバ２１８で、ケーブル３００のクロック信号ライン（ＴＭＤＳクロックチャネル）で送られてくるＴＭＤＳクロックが受け取られる。そして、ＰＬＬ回路２１６Ｒでは、このＴＭＤＳクロックに同期したオーディオクロックおよびシステムクロックが生成される。この場合、ソース機器１００からＡＣＲパケットで送られてくるＣＴＳ／Ｎパラメータに基づいて、ＰＬＬ回路２１６Ｒでは、ソース機器１００から送られてくるオーディオデータに対応したオーディオクロックの生成が行われる。
【００８６】
また、切換スイッチ２１９ａ，２１９ｂ，２１９ｃは、それぞれ、ｒ側に接続される。そのため、切換スイッチ２１９ｃでは、レシーバ２１８で受け取られたＴＭＤＳクロックが取り出されて用いられる。また、また、切換スイッチ２１９ｂでは、ＰＬＬ回路２１６Ｒで生成されるオーディオクロックが取り出されて用いられる。また、切換スイッチ２１９ｃでは、ＰＬＬ回路２１６Ｒで生成されるシステムクロックが取り出されて用いられる。
【００８７】
また、データ受信部２１２では、ソース機器１００からケーブル３００の差動信号ライン（ＴＭＤＳチャネル）を通じて送られてくるビデオデータ、オーディオデータが受信される。受信されたビデオデータは、ビデオデータバッファ２１４Ｖに一時的に蓄積される。受信されたオーディオデータは、オーディオデータバッファ２１４Ａに一時的に蓄積される。
【００８８】
そして、ビデオデータバッファ２１４Ｖに蓄積されているビデオデータはＴＭＤＳクロックに同期して読み出され、システムクロック（内部クロック）に基づいて、画像処理回路で所定の処理が施されて、ディスプレイ（画像表示デバイス）に画像表示が行われる。また、オーディオデータバッファ２１４Ａに蓄積されているオーディオデータはオーディオクロックに同期して読み出され、システムクロック（内部クロック）に基づいて、オーディオＤＳＰ（Digital Signal Processor）で所定の処理が施されて、例えばスピーカで表示画像に対応した音声が出力される。
【００８９】
次に、ソース機器１００に、シンク（リピータ）機器２００からＴＭＤＳクロックが送信されてくる場合について説明する。この場合、ソース機器１００からシンク（リピータ）機器２００にＴＭＤＳクロックの送信（供給）が要請され、これに基づいて、シンク（リピータ）機器２００からソース機器１００にＴＭＤＳクロックの送信が行われる。
【００９０】
また、この場合、ソース機器１００からシンク（リピータ）機器２００にコンテンツのビデオフォーマットが通知される。シンク（リピータ）機器２００では、その通知に基づいて、伝送ビデオフォーマットが決定される。そして、シンク（リピータ）機器２００からソース機器１００に、決定された伝送ビデオフォーマットが通知される。上述したようにシンク（リピータ）機器２００からソース機器１００に送信されるＴＭＤＳクロックは、このようにソース機器１００に通知される伝送ビデオフォーマットに対応したものとされる。
【００９１】
また、この場合、ソース機器１００からシンク（リピータ）機器２００にコンテンツのオーディオフォーマットが通知される。シンク（リピータ）機器２００では、その通知に基づいて、上述したようにシンク（リピータ）機器２００からソース機器１００に送信されるＴＭＤＳクロックおよび上述のオーディオフォーマットに対応したＣＴＳ／Ｎパラメータが求められる。そして、シンク（リピータ）機器２００からソース機器１００に、求められたＣＴＳ／Ｎパラメータが通知される。
【００９２】
ソース機器側の動作を説明する。レシーバ１１９がアクティブとされる。そのため、このレシーバ１１９で、ケーブル３００のクロック信号ライン（ＴＭＤＳクロックチャネル）で送られてくるＴＭＤＳクロックが受け取られる。そして、ＰＬＬ回路１１７Ｒでは、このＴＭＤＳクロックに同期したオーディオクロックおよびシステムクロックが生成される。この場合、上述したようにシンク（リピータ）機器２００から通知されたＣＴＳ／Ｎパラメータに基づいて、ＰＬＬ回路１１７Ｒでは、ビデオデコーダ１１４から出力されるオーディオデータに対応したオーディオクロックの生成が行われる。
【００９３】
切換スイッチ１２０ａ，１２０ｂ，１２０ｃは、それぞれ、ｒ側に接続される。そのため、切換スイッチ１２０ａでは、ＰＬＬ回路１１７Ｒで生成されるシステムクロックが取り出されて用いられる。また、切換スイッチ１２０ｂでは、ＰＬＬ回路１１７Ｒで生成されるオーディオクロックが取り出されて用いられる。また、切換スイッチ１２０ｃでは、レシーバ１１９で受け取られるＴＭＤＳクロックが取り出されて用いられる。
【００９４】
また、ビデオデコーダ１１４からは、シンク（リピータ）機器２００側に送信すべきデジタルのコンテンツデータ（ビデオデータ、オーディオデータ）が出力される。この場合、ビデオデータのフォーマットは、上述したようにシンク（リピータ）機器２００から通知された伝送ビデオフォーマットとされる。上述したレシーバ１１９で受け取られるＴＭＤＳクロックは、このビデオデータのピクセルクロックに対応したものとなっている。また、オーディオデータは所定のフォーマットを持つものであり、上述したＰＬＬ回路１１７Ｒで生成されるオーディオクロックは、このオーディオデータに対応したものとなる。
【００９５】
ビデオデコーダ１１４から出力されるビデオデータは、ビデオデータバッファ１１５Ｖに供給されて一時的に蓄積される。また、ビデオデコーダ１１４から出力されるオーディオデータは、オーディオデータバッファ１１５Ａに供給されて一時的に蓄積される。そして、バッファ１１５Ｖ，１１５Ａに蓄積されているビデオデータ、オーディオデータは、データ送信部１１２により、ケーブル３００の差動信号ライン（ＴＭＤＳチャネル）に送出され、シンク（リピータ）機器２００に送信される。
【００９６】
上述したように、ソース機器１００では、シンク（リピータ）機器２００から送られてくるＴＭＤＳクロック、さらには、このＴＭＤＳクロックに基づいて生成されたオーディオクロックおよびシステムクロックが用いられる。そのため、ソース機器１００のデータ送信部１１２からシンク（リピータ）機器２００に送信されるコンテンツデータ（ビデオデータ、オーディオデータ）は、シンク（リピータ）機器２００から送られてくるＴＭＤＳクロックに同期したものとなる。
【００９７】
シンク（リピータ）機器２００側の動作を説明する。切換スイッチ２１９ａ，２１９ｂ，２１９ｃは、それぞれ、ｔ側に接続される。そのため、切換スイッチ２１９ａでは、クロック源２１５から出力されるシステムクロックが取り出されて用いられる。また、切換スイッチ２１９ｂでは、ＰＬＬ回路２１６Ｔで生成されるオーディオクロックが取り出されて用いられる。また、切換スイッチ２１９ｃでは、ＰＬＬ回路２１６Ｔで生成されるＴＭＤＳクロックが取り出されて用いられる。
【００９８】
また、ドライバ２１７がアクティブとされる。そのため、ＰＬＬ回路２１６Ｔで生成されるＴＭＤＳクロックは、データ受信部２１２を介して、ケーブル３００のクロック信号ライン（ＴＭＤＳクロックチャネル）に送出され、ソース機器１００に送信される。
【００９９】
また、データ受信部２１２では、ソース機器１００からケーブル３００の差動信号ライン（ＴＭＤＳチャネル）を通じて送られてくるビデオデータ、オーディオデータが受信される。受信されたビデオデータは、ビデオデータバッファ２１４Ｖに一時的に蓄積される。受信されたオーディオデータは、オーディオデータバッファ２１４Ａに一時的に蓄積される。
【０１００】
そして、ビデオデータバッファ２１４Ｖに蓄積されているビデオデータはＴＭＤＳクロックに同期して読み出され、システムクロック（内部クロック）に基づいて、画像処理回路で所定の処理が施されて、ディスプレイ（画像表示デバイス）に画像表示が行われる。また、オーディオデータバッファ２１４Ａに蓄積されているオーディオデータはオーディオクロックに同期して読み出され、システムクロック（内部クロック）に基づいて、オーディオＤＳＰ（Digital Signal Processor）で所定の処理が施されて、例えばスピーカで表示画像に対応した音声が出力される。
【０１０１】
上述したように、シンク（リピータ）機器２００からソース機器１００にＴＭＤＳクロックが供給されるとき、ソース機器１００では、このＴＭＤＳクロックに基づいて、システムクロックが生成される。また、ソース機器１００では、シンク（リピータ）機器２００から受信されたＣＴＳ／Ｎパラメータが用いられて、自身のオーディオクロックが生成される。
【０１０２】
これらは、シンク(リピータ)機器２００に存在する高品位なクロック源から生成されたＴＭＤＳクロックに同期したものとなるため、高品位を保った形で、かつ、シンク(リピータ)機器２００のシステムクロックと完全に同期したものとして生成される。そして、ソース機器１００では、このＴＭＤＳクロックあるいはこのＴＭＤＳクロックが分周／逓倍する等して得られたシステムクロックとオーディオクロックに合わせて、伝送用データ（ビデオデータ、オーディオデータ）が生成されて、送出される。この際、伝送ビデオォーマットは、シンク(リピータ)機器２００で決定されたものとされる。
【０１０３】
このように、ソース機器１００からシンク（リピータ）機器２００に送信されるコンテンツデータ（ビデオデータ、オーディオデータ）は、シンク（リピータ）機器２００からソース機器１００に供給したＴＭＤＳクロックに同期したものとなる。そのため、シンク（リピータ）機器２００において、データ受信部２１２で受信されたビデオデータ、オーディオデータは、自身のシステムクロックに同期したものとなる。したがって、シンク（リピータ）機器２００では、自身の内部クロックをそのまま用いて、再生することが可能になる。この内部クロックはシンク(リピータ)機器２００の内部に存在する高品位クロック源２１５から生成された高品位なクロックであるので、その再生画像/音声は高品位なものとなる。
【０１０４】
図７のシーケンス図は、ソース機器１００がシンク（リピータ）機器２００からＴＭＤＳクロックの供給を受ける場合における各機器の処理手順を概略的に示している。
【０１０５】
（１）現行ＨＤＭＩ規格と同様の+5V Power/HPDのプロセス(省略)でソース機器１００およびシンク(リピータ)機器２００の双方が互いに接続されたことを検知する。その後、ソース機器１００は、シンク(リピータ)機器２００中のＮＶＭ（non volatile memory）メモリなどに格納されている自身の能力を示すＥＤＩＤを、ＤＤＣラインを通じて読み出し、シンク(リピータ)機器２００のクロック供給能力を確認する。
【０１０６】
本技術に対応しているシンク(リピータ)機器２００は、自身が格納しているＥＤＩＤ中に、クロック供給能力を有し、ソース機器１００から許可されれば実行したい旨を示す情報（クロック供給要求情報）を少なくとも１ビットを用いて表している。そのため、ソース機器１００がＥＤＩＤを読み出すプロセスにより、シンク（リピータ）機器２００からソース機器１００にクロック供給要求情報が通知される。
【０１０７】
（２）ＥＤＩＤを読んだソース機器１００は、ＥＤＩＤ中のクロック供給要求情報を正しく理解できた場合、つまりソース機器１００に本技術の拡張が実装されている場合、シンク（リピータ）機器２００に、ＣＥＣラインを通じて、クロック供給要請と、再生を行おうとしているコンテンツのビデオおよびオーディオのフォーマットを、通知する。以下に、その場合のコマンド例を示す。
＜Request_Reverse_TMDS_Clock>[Video format][Audio format]
【０１０８】
（３）そのコマンドを受信したシンク（リピータ）機器２００は、そのコンテンツのフォーマットおよび自身のクロックの能力を鑑み、伝送フォーマットを決定する。（４）そして、シンク（リピータ）機器２００は、決定したフォーマットおよびオーディオクロック生成用のＣＴＳ／Ｎパラメータを、ＣＥＣラインを通じて、ソース機器１００に通知する。以下に、その場合のコマンド例を示す。
＜Inquire_Transmission_Format>[Videoformat][Audio format][CTS][N]
【０１０９】
（５）シンク(リピータ)機器２００からの伝送フォーマットの通知コマンドを受信したソース機器１００は、自身の送信能力と受信した内容とを照し合せ、シンク(リピータ)機器２００からの要請に応えられるか否かを判断する。（６）要請に応えられない場合、ソース機器１００は、シンク(リピータ)機器２００にその旨を通知し、代替のフォーマットへの変更を要請する。この場合に実際に発行されるコマンドは、例えば、既存の<Feature Abort>[Refused]となる。
【０１１０】
（３′）ソース機器１００から要請に応えられない旨の回答を受信したシンク(リピータ)機器２００は、自身が対応可能なものの中から伝送フォーマットを変更し、（４′）その変更したフォーマットの情報をソース機器１００に通知する。（６′）ソース機器１００がシンク(リピータ)機器２００から指定されたフォーマットでの伝送が可能であれば、その旨をシンク(リピータ)機器２００に通知する。（７）その後、コマンドを受信したシンク(リピータ)機器２００は、ＴＭＤＳクロックチャンネルに、ＴＭＤＳクロックの送出を開始する。（８）ソース機器１００とシンク（リピータ）機器２００の双方で伝送が可能になったので、必要であれば、コンテンツプロテクションのための認証データの交換を、並行して、ＤＤＣラインを通じて開始してもよい。
【０１１１】
（９）シンク（リピータ）機器２００からＴＭＤＳクロックを受信したソース機器１００は、自身のＰＬＬ回路１１７Ｒが、受信したＴＭＤＳクロックとロックした後に、（１０）ＴＭＤＳクロックに同期させて、ＴＭＤＳチャンネル＃0、＃1、＃2に、ＴＭＤＳデータを送出する。伝送されたデータはシンク(リピータ)機器２００で、自身のクロックに同期させて再生処理を行うことができる。
【０１１２】
（１１）さらに、コンテンツを変更する際も、詳細説明は省略するが、上述のプロセスを再度繰り返すことにより、伝送が実施される。
【０１１３】
［伝送フォーマットの決定例］
シンク（リピータ）機器２００における伝送フォーマットの決定例を説明する。ここでは、シンク機器２００の解像度が1920ｘ1080ピクセル、フレームレートが60Hz、プログレッシブとする。そして、シンク機器２００は、上述した図１１に示すようなアプリケーションを実現するために、４つの接続されているソース機器１００の出力を受信するものとする。
【０１１４】
それぞれのソース機器１００が再生しようとしているコンテンツのフォーマット（解像度）は、例えば、以下の通りであるとする。それぞれのソース機器１００は、図７の（２）のプロセスで、シンク機器２００に当該コンテンツのフォーマット（解像度）を通知する。
ソース１： 1920ｘ1080、60Hz、プログレッシブ
ソース２： 1920ｘ1080、24Hz、プログレッシブ
ソース３： 1920ｘ1080、60Hz、インターレース
ソース４： 480ｘ270、60Hz、プログレッシブ
【０１１５】
シンク機器２００は、４つのソース機器１００のそれぞれに対して、自身の解像度の１／４の解像度、つまり480ｘ270ピクセル、60Hz、プログレッシブに変換して伝送するよう、図７の（４）のプロセスで、要求する。
【０１１６】
このシンク機器２００の要求に対して、「ソース４」以外は自身でフォーマット変換を行う必要がある。ここで、「ソース１」および「ソース２」は、自身で要求されるフォーマットへの変換に対応が可能であるとし、「ソース１」、「ソース２」および「ソース４」からは、図７の（６′）のプロセスで、「ＯＫ報告」がされるとする。しかし、「ソース３」は、要求されるフォーマットへの変換が不可能で、図７の（６）のプロセスで、「対応不可報告」がされるとする。
【０１１７】
シンク機器２００は、「ソース３」からの「対応不可報告」をもとに、図７の（３′）のプロセスで、再度、自身のフォーマット変換能力から次の候補を決定する。例えば、自身でインターレース／プログレッシブ変換を行うことにより、「ソース３」に対しては、480ｘ270ピクセル、60Hz、インターレースでの伝送を、図７の（４′）のプロセスで要求する。再度、要求を受信した「ソース３」は、本要求であればピクセルをダウンサンプリングするだけなので、対応が可能であるとする。そこで、シンク機器２００に対して、図７の（６′）のプロセスで、「ＯＫ報告」をする。
【０１１８】
この際、シンク機器２００から供給されるべきＴＭＤＳクロックは、「ソース１」、「ソース２」、および「ソース４」に供給されるものと、「ソース３」に供給されるものとでは異なるものになる。シンク機器２００は、「ソース３」に対しては、他のソース機器１００へ供給するＴＭＤＳクロックを自身で１／２分周して供給する。勿論、全てのソース機器へ供給するＴＭＤＳクロックを同じにするために、全てのソース機器１００が「ＯＫ報告」ができるフォーマットが見つかるまで全てのソース機器１００との間でのやり取りを継続しても構わない。
【０１１９】
上述したように、図１に示すＡＶシステム１０においては、シンク（リピータ）機器２００からソース機器１００に、ＴＭＤＳクロックチャネル（クロック信号ライン）を介してＴＭＤＳクロックが供給される。そして、ソース機器１００では、シンク（リピータ）機器２００から供給されたＴＭＤＳクロックに同期して、コンテンツデータ（ビデオデータ、オーディオデータ）が、ＴＭＤＳチャネル（差動信号ライン）を介して、シンク（リピータ）機器２００に送られる。そのため、ＨＥＡＣラインのような付加的なラインを用いることなく、シンク（リピータ）機器２００において高品質なコンテンツ再生が可能となる。
【０１２０】
また、図１に示すＡＶシステム１０においては、ソース機器１００は、シンク（リピータ）機器２００に再生をしようとするコンテンツのビデオフォーマットを通知し、シンク（リピータ）機器２００から伝送ビデオフォーマットの通知を受けるように構成されている。そして、ソース機器１００は、シンク（リピータ）機器２００から通知された伝送ビデオフォーマットによるビデオデータをシンク（リピータ）機器２００に送信するようになされる。そのため、シンク（リピータ）機器２００におけるフォーマット変換処理等の処理負荷を大幅に軽減でき、例えば、シンク（リピータ）機器２００に、複数のソース機器１００からのコンテンツを同時に表示するようなアプリケーション（図１１参照）を容易に実現可能となる。
【０１２１】
この場合、シンク機器１００側から伝送フォーマットをソース機器２００に通知し、そのクロック（ＴＭＤＳクロック）を伝送することにより、各ソース機器１００からは同じビデオフォーマットの同期したビデオデータが出力される。そのため、シンク機器２００側では大きなバッファを持つことなく、さらに、特にフォーマット変換を行う必要もなく本アプリケーションの実現が可能となる。
【０１２２】
ただし、フレームの送出開始タイミングは異なる可能性があるので、フレーム同期を取るためのフレームバッファは最大１フレーム分必要となるかもしれない。しかし、各ソース機器１００から送出されるデータは全て同期しているので、バッファのオーバーフロー/アンダーフローが発生する可能性はない。
【０１２３】
また、図１に示すＡＶシステム１０においては、シンク（リピータ）機器２００からソース機器１００に、ＴＭＤＳクロックチャネル（クロック信号ライン）を介してＴＭＤＳクロックが供給される。ＨＥＡＣラインのような付加的なラインを用いないため、ＨＤＭＩ信号を他規格へ変形したり、他規格からＨＤＭＩ信号に変形したりするようなアプリケーションも容易に実現が可能である。
【０１２４】
＜２．変形例＞
なお、上述実施の形態において、シンク（リピータ）機器２００は、内部のクロック源２１５に同期したＴＭＤＳクロックを、ソース機器１００に供給する例を示した。しかし、クロック源として、外部クロック源を用いることも考えられる。
【０１２５】
図８は、上述した図１１に示すアプリケーション例と同様に、複数のソース機器１００からのコンテンツを同時に表示するようなアプリケーションを示している。このアプリケーションは、４台のソース機器１００を１台のシンク機器２００に接続し、その４台のソース機器１００からのコンテンツを１台のシンク機器２００に表示するものである。
【０１２６】
この場合、外部クロック源として接続されたソース機器１００′から供給されるＴＭＤＳクロックを、シンク機器２００が、さらに別に接続された各ソース機器１００に対して供給するようにされる。このような構成によっても、高品質なクロックを用いた高品質再生で複数ソース機器の複数コンテンツの同時視聴を可能にするようなアプリケーションを実現できる。
【０１２７】
また、上述の図８に示すアプリケーション例は、４台のソース機器１００のコンテンツの同時視聴アプリケーション例であった。図９に示すように、同様な構成で、例えば、３台のソース機器１００とシンク機器２００に内蔵されている放送波チューナ（図示せず）による放送波コンテンツの同時視聴も可能である。
【０１２８】
この場合、３台のソース機器１００の映像コンテンツを画面の４等分した３つの領域に同時に表示し、自身で放送波コンテンツを１／４のサイズにダウンサンプリングして残りの領域に表示することにより実現される。なお、このようなアプリケーションは４分割表示に限られるものではなく、２画面表示などにも適用されることは自明である。
【０１２９】
また、上述していないが、ＣＥＣコマンド等で自身のクロック源に対して、自分がシステム全体のクロック源かを問い合わせることも考えられる。これにより、視聴者がシステムのクロック源をどの機器が担っているかを確認することができる。例えば、図８の場合は外部クロック源であると確認でき、図１１の場合はシンク機器２００であると確認できる。
【０１３０】
また、上述実施の形態においては、ＴＭＤＳチャネル（差動信号ライン）が３チャネルである例を示した。しかし、本技術は、ＴＭＤＳチャネル（差動信号ライン）が３チャネル以外である場合にも同様に構成できることは勿論である。
【０１３１】
また、上述実施の形態において、本技術を、ソース機器およびシンク（リピータ）機器がＴＭＤＳクロックの伝送方法を除き、ほぼＨＤＭＩ規格のデジタルインタフェースで接続されるＡＶシステムに適用したものである。本技術は、これに限定されるものではなく、その他の同様のデジタルインタフェース（有線、無線）で接続されるＡＶシステムにも同様に適用できることは勿論である。したがって、ＴＭＤＳチャネル（差動信号ライン）が３チャネル以外である構成も考えられる。
【０１３２】
また、本技術は、以下のような構成をとることもできる。
（１）外部機器から、クロック信号ラインを介して伝送クロックを受信する伝送クロック受信部と、
上記伝送クロック受信部で受信された伝送クロックに同期して、コンテンツデータを、所定数の差動信号ラインを介して上記外部機器に送信するデータ送信部とを備える
送信装置。
（２）上記外部機器が上記伝送クロックの送信機能を有しているか否かを確認する機能確認部と、
上記外部機器が上記伝送クロックの送信機能を有していることが確認されるとき、上記外部機器に上記伝送クロックの送信を要求する伝送クロック送信要求部とをさらに備える
前記（１）に記載の送信装置。
（３）上記外部機器にコンテンツのビデオフォーマットを通知し、上記外部機器から伝送ビデオフォーマットの通知を受ける通信部をさらに備え、
上記データ送信部は、上記外部機器から通知された伝送ビデオフォーマットで上記コンテンツデータを上記外部機器に送信する
前記（１）または（２）に記載の送信装置。
（４）上記通信部は、上記外部機器にコンテンツのオーディオフォーマットをさらに通知し、上記外部機器から伝送クロックとオーディオクロックとの関係を示すパラメータの通知をさらに受け、
上記伝送クロック受信部で受信された伝送クロックと、上記パラメータに基づいてオーディオクロックを生成するオーディオクロック生成部をさらに備える
前記（３）に記載の送信装置。
（５）システムクロックを得るクロック源と、
上記クロック源で得られたシステムクロックを分周して伝送クロックを生成する伝送クロック生成部と、
上記伝送クロック生成部で生成された伝送クロックを上記クロック信号ラインを介して上記外部機器に送信する伝送クロック送信部とをさらに備え、
上記データ送信部は、
上記伝送クロック送信部により上記伝送クロックが上記外部機器に送信されるとき、該送信される伝送クロックに同期して上記コンテンツデータを上記外部機器に送信し、
上記伝送クロック受信部により上記伝送クロックが上記外部機器から受信されるとき、該受信される伝送クロックに同期して上記コンテンツデータを上記外部機器に送信する
前記（１）から（５）のいずれかに記載の送信装置。
（６）外部機器から、クロック信号ラインを介して伝送クロックを受信する伝送クロック受信ステップと、
上記伝送クロック受信ステップで受信された伝送クロックに同期して、コンテンツデータを、所定数の差動信号ラインを介して上記外部機器に送信するデータ送信ステップとを備える
送信方法。
（７）外部機器から、所定数の差動信号ラインを介してコンテンツデータを受信するデータ受信部と、
上記コンテンツデータをシステムクロックに基づいて処理するデータ処理部と、
上記外部機器に、クロック信号ラインを介して、上記システムクロックに同期した伝送クロックを送信する伝送クロック送信部とを備える
受信装置。
（８）上記伝送クロック送信部は、上記外部機器から伝送クロックの送信要求があるとき、該外部機器に伝送クロックを送信する
前記（７）に記載の受信装置。
（９）上記外部機器からコンテンツのビデオフォーマットの通知を受け、上記外部機器に伝送ビデオフォーマットを通知する通知部をさらに備える
前記（７）または（８）に記載の受信装置。
（１０）上記通知部は、上記外部機器からコンテンツのオーディオフォーマットの通知をさらに受け、上記外部機器に該オーディオフォーマットに基づいて算出した、伝送クロックとオーディオクロックとの関係を示すパラメータをさらに通知する
前記（９）に記載の受信装置。
（１１）上記外部機器から上記クロック信号ラインを介して伝送クロックを受信する伝送クロック受信部と、
上記伝送クロック受信部で受信された伝送クロックに基づいてシステムクロックを生成するシステムクロック生成部とをさらに備え、
上記データ処理部は、上記伝送クロック受信部により上記外部機器から伝送クロックが受信されるとき、上記システムクロック生成部で生成されるシステムクロックに基づいて処理を行う
前記（７）から（１０）のいずれかに記載の受信装置。
（１２）上記システムクロックを得るクロック源と、
上記クロック源で得られたシステムクロックを利用して上記伝送クロックを生成する伝送クロック生成部とをさらに備える
前記（７）から（１１）のいずれかに記載の受信装置。
（１３）他の外部機器から上記伝送クロックを受信する伝送クロック受信部をさらに備え、
上記伝送クロック送信部は、上記伝送クロック受信部で受信された伝送クロックを送信する
前記（７）から（１１）のいずれかに記載の受信装置。
（１４）外部機器から、所定数の差動信号ラインを介してコンテンツデータを受信するデータ受信ステップと、
上記コンテンツデータをシステムクロックに基づいて処理するデータ処理ステップと、
上記外部機器に、クロック信号ラインを介して、上記システムクロックに同期した伝送クロックを送信する伝送クロック送信ステップとを備える
受信方法。
（１５）送信装置および受信装置が伝送路を介して接続されてなる送受信システムであって、
上記送信装置は、
上記受信装置から、クロック信号ラインを介して伝送クロックを受信する伝送クロック受信部と、
上記伝送クロック受信部で受信された伝送クロックに同期して、コンテンツデータを、所定数の差動信号ラインを介して上記受信装置に送信するデータ送信部とを備え、
上記受信装置は、
上記送信装置から、所定数の差動信号ラインを介してコンテンツデータを受信するデータ受信部と、
上記データ受信部で受信されたコンテンツデータをシステムクロックに基づいて処理するデータ処理部と、
上記送信装置に、上記クロック信号ラインを介して、上記システムクロックに同期した伝送クロックを送信する伝送クロック送信部とを備える
送受信システム。
【符号の説明】
【０１３３】
１０・・・ＡＶシステム
８１・・・トランスミッタ
８２・・・レシーバ
１００・・・ソース機器
１１１・・・コネクタ部
１１２・・・データ送信部
１１３・・・制御部
１１４・・・ビデオデコーダ
１１５Ｖ・・・ビデオデータバッファ
１１５Ａ・・・オーディオデータバッファ
１１６・・・クロック源
１１７Ｒ，１１７Ｔ・・・ＰＬＬ回路
１１８・・・ドライバ
１１９・・・レシーバ
１２０ａ，１２０ｂ，１２０ｃ・・・スイッチ
２１９ａ，２１９ｂ，２１９ｃ・・・スイッチ
２００・・・シンク（リピータ）機器
２１１・・・コネクタ部
２１２・・・データ受信部
２１３・・・制御部
２１４Ｖ・・・ビデオデータバッファ
２１４Ａ・・・オーディオデータバッファ
２１５・・・クロック源
２１６Ｒ，２１６Ｔ・・・ＰＬＬ回路
２１７・・・ドライバ
２１８・・・レシーバ
３００・・・ケーブル
【図１】
0005857588.tif 000002
【図２】
0005857588.tif 000003
【図３】
0005857588.tif 000004
【図４】
0005857588.tif 000005
【図５】
0005857588.tif 000006
【図６】
0005857588.tif 000007
【図７】
0005857588.tif 000008
【図８】
0005857588.tif 000009
【図９】
0005857588.tif 000010
【図１０】
0005857588.tif 000011
【図１１】
0005857588.tif 000012